(57)【要約】【課題】内径の異なる筆記体を用いても、部品としての操作体を共通にすることができる多芯筆記具を提供する。【解決手段】軸筒２内に複数の筆記体を前後方向に移動可能に収容し、各々の筆記体の後端に操作体５を連結し、軸筒２の側壁に前後方向に延びる複数の窓孔２２を径方向に貫設し、筆記体３，４の後端部に後方に開口する連結孔３４，４４を設け、操作体５の前端部に、連結孔３４，４４に嵌合可能な嵌合部を設け、操作体５の嵌合部が、第１の嵌合部５４と、該第１の嵌合部５４の前方に連設され且つ第１の嵌合部５４より外径が小さい第２の嵌合部５５とからなり、操作体５に、連結孔３４，４４の内径が異なる２種類の筆記体３，４を連結可能とする。【選択図】  図１
2013095015.tif 000002
【特許請求の範囲】
【請求項１】
軸筒内に複数の筆記体を前後方向に移動可能に収容し、前記各々の筆記体の後端に操作体を連結し、前記各々の操作体を後方に付勢する複数の弾発体を軸筒内に収容し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなる多芯筆記具であって、前記筆記体の後端部に後方に開口する連結孔を設け、前記操作体の前端部に、前記連結孔に嵌合可能な嵌合部を設け、前記操作体の嵌合部が、第１の嵌合部と、該第１の嵌合部の前方に連設され且つ第１の嵌合部より外径が小さい第２の嵌合部とからなり、前記操作体に、連結孔の内径が異なる２種類の筆記体を連結可能としたことを特徴とする多芯筆記具。
【請求項２】
前記第１の嵌合部の後方に第１の段部を設け、前記第１の嵌合部と前記第２の嵌合部との間に第２の段部を設け、連結孔の内径が異なる２種類の筆記体を連結した際、第１の段部または第２の段部に、前記連結した筆記体の後端を当接可能とした請求項１記載の多芯筆記具。
【発明の詳細な説明】
【技術分野】
【０００１】
本発明は、多芯筆記具に関する。詳細には、軸筒内に複数本の筆記体を前後方向に移動可能に収容した多芯筆記具に関する。
【背景技術】
【０００２】
従来、例えば、特許文献１には、外装体に摺動可能に取り付けられた操作体を摺動操作することにより、外装体内部に収納された先端にペン先を有する複数のリフィルを交互に外装体先端より出没させてなる多芯筆記具が記載されている。
【０００３】
前記特許文献１の多芯筆記具は、一つの操作体には、一定の内径を有する１種類のリフィルのみが連結可能である。即ち、内径の異なるリフィルを用いる場合、別の操作体が必要となり、部品の種類が増加し、製造コストが上昇する。
【先行技術文献】
【特許文献】
【０００４】
【特許文献１】特開平９−２０７４９４号公報
【発明の概要】
【発明が解決しようとする課題】
【０００５】
本発明は前記従来の問題点を解決するものであって、内径の異なる筆記体を用いても、部品としての操作体を共通にすることができる多芯筆記具を提供しようとするものである。
【０００６】
尚、本発明において、「前」とは前端孔側及びペン先側を指し、「後」とはその反対側を指す。
【課題を解決するための手段】
【０００７】
本願の第１の発明は、軸筒２内に複数の筆記体を前後方向に移動可能に収容し、前記各々の筆記体の後端に操作体５を連結し、前記各々の操作体５を後方に付勢する複数の弾発体６を軸筒２内に収容し、前記軸筒２の側壁に前後方向に延びる複数の窓孔２２を径方向に貫設し、前記各々の窓孔２２から径方向外方に前記各々の操作体５を突出させ、一つの操作体５を窓孔２２に沿って前方にスライドさせることにより、その一つの操作体５に連結された筆記体のペン先を軸筒２の前端孔２１から突出させるとともに、先に突出状態にあった他の筆記体のペン先を軸筒２内に没入させてなる多芯筆記具であって、前記筆記体３，４の後端部に後方に開口する連結孔３４，４４を設け、前記操作体５の前端部に、前記連結孔３４，４４に嵌合可能な嵌合部を設け、前記操作体５の嵌合部が、第１の嵌合部５４と、該第１の嵌合部５４の前方に連設され且つ第１の嵌合部５４より外径が小さい第２の嵌合部５５とからなり、前記操作体５に、連結孔３４，４４の内径が異なる２種類の筆記体３，４を連結可能としたことを要件とする。
【０００８】
前記第１の発明の多芯筆記具１は、一つの操作体５が、連結孔３４，４４の内径の異なる２種類の筆記体３，４と連結可能となり、内径の異なる筆記体を用いても、部品としての操作体５を共通化でき、コストの上昇を抑えることが可能となる。
【０００９】
本願の第２の発明は、前記第１の発明の多芯筆記具１において、前記第１の嵌合部５４の後方に第１の段部５６を設け、前記第１の嵌合部５４と前記第２の嵌合部５５との間に第２の段部５７を設け、連結孔３４，４４の内径が異なる２種類の筆記体３，４を連結した際、第１の段部５６または第２の段部５７に、前記連結した筆記体３，４の後端を当接可能としたことを要件とする。
【００１０】
前記第２の発明の多芯筆記具１は、連結孔３４，４４の内径が異なる２種類の筆記体３，４の何れの筆記体を操作体５に連結しても、筆記時、筆記体３，４が操作体５に対して後退することがなく、安定した筆記が可能となる。
【発明の効果】
【００１１】
本発明の多芯筆記具は、内径の異なる筆記体を用いても、部品としての操作体を共通にすることができる。
【図面の簡単な説明】
【００１２】
【図１】本発明の多芯筆記具の実施の形態の第１の筆記体を収容した状態を示す縦断面図である。
【図２】図１の第１の筆記体と操作体との連結状態を示す要部拡大縦断面図である。
【図３】図２の要部拡大縦断面図である。
【図４】図３のＡ−Ａ線断面図である。
【図５】本発明の多芯筆記具の実施の形態の第２の筆記体を収容した状態を示す縦断面図である。
【図６】図５の多芯筆記具の第２の筆記体と操作体との連結状態を示す要部拡大縦断面図である。
【図７】図６の要部拡大縦断面図である。
【図８】図７のＢ−Ｂ線断面図である。
【発明を実施するための形態】
【００１３】
図１乃至図８に本発明の実施の形態を示す。
本実施の形態の多芯筆記具１は、軸筒２内に複数本（具体的には２本）の筆記体３，４が前後方向に移動可能に収容される。前記各々の筆記体３，４の後端には操作体５が取り付けられる。前記軸筒２内には、前記筆記体３，４の本数に対応した複数（具体的には２個）の弾発体６（コイルスプリング）が収容される。前記各々の操作体５は、前記各々の弾発体６により後方に付勢されている。本実施の形態では、軸筒２内に収容する筆記体３，４の本数は、２本であるが、これ以外にも、例えば、３本、４本、５本、６本であってもよい。
【００１４】
・軸筒
前記軸筒２は、先細状の円筒体からなる前軸２ａと、該前軸２ａの後端部と螺合または圧入により取り付けられる円筒状の後軸２ｂとからなる。前記前軸２ａの前端には、筆記体３，４のペン先３１，４１が突出可能な前端孔２１が前後方向に貫設される。前記前軸２ａ及び後軸２ｂは、合成樹脂（例えば、ポリカーボネイト等）の射出成形により得られる。
【００１５】
前記後軸２ｂの後部の側壁には、複数本（具体的には２本）の前後方向に延びる細長状の窓孔２２が、径方向に貫設される。前記２本の窓孔２２は、互いに、軸線に対して対称の位置（１８０度対称位置）に形成される。
【００１６】
また、前記後軸２ｂの窓孔２２の相互間の側壁内面には、前後方向に延びるリブよりなる係止壁部（図示せず）が一体に形成され、前記係止壁部に、ペン先３１，４１が突出した際の筆記体３，４の操作体５の後端が係止される。尚、前記係止壁部は、軸筒２（後軸２ｂ）の内壁に一体に形成してもよいし、軸筒２内に別部材を収容配置することによって設けてもよい。
【００１７】
・弾発体支持部
軸筒２の内壁（即ち後軸２ｂの内壁）には、円筒状の弾発体支持部７が固着される。前記弾発体支持部７は、筆記体が挿通される複数（具体的には２個）の内孔７１が軸方向に貫設されている。筆記体３，４を軸筒２内に収容した状態において、前記弾発体支持部７の後面と、各々の操作体５の鍔部５８の前面との間には、弾発体６が配置される。前記各々の弾発体６の内部に筆記体３，４（即ちインキ収容管３３，４３）が遊挿されるとともに、各々の弾発体６前端は弾発体支持部７の後面より係止され、各々の弾発体６の後端は操作体５の鍔部５８の前面に係止される。尚、前記弾発体支持部７は、軸筒２内壁に一体に形成されてもよい。
【００１８】
・筆記体
前記各々の筆記体３，４は、ボールペンレフィルであり、前端にボールが回転可能に抱持されたボールペンチップ（即ちペン先３１，４１）と、該ボールペンチップを前端に備えたペン先保持筒３２，４３と、該ペン先保持筒３２，４３を前端に備えたインキ収容管３３，４３とからなる。
【００１９】
また、前記ボールペンチップは、前端に回転可能に抱持されたボールをスプリング等により前方に付勢し、前端縁部の内面にボールを密接させる構成でもよい。また、ボールペンチップは、インキ収容管３３，４３の前端開口部に圧入等により直接、取り付けてもよいが、本実施の形態ではペン先保持筒３２，４３を介してインキ収容管３３，４３の前端開口部に固着される。尚、本発明（即ち第１の発明）では、前記筆記芯体４は、ボールペンレフィル以外に、例えば、シャープペンシルレフィル、マーキングペンレフィル、入力ペンレフィル等であってもよい。
【００２０】
前記インキ収容管３３，４３の内部には、インキ（例えば、剪断減粘性を有する水性ゲルインキ、低粘度の水性インキ、低粘度の油性インキ、または高粘度の油性インキ）が収容される。前記インキが、剪断減粘性を有する水性ゲルインキ、低粘度の水性インキ、または低粘度の油性インキの場合、インキ収容管３３，４３内のインキの後端には、インキの消費に伴い前進する高粘度流体からなる追従体が充填される。
【００２１】
本実施の形態では、前記筆記体３，４は、インキ収容管３３，４３の内径が異なる２種類が用いられる。前記２種類の筆記体３，４は、インキ収容管３３，４３の後端開口部（筆記体の後端の連結孔３４，４４）の内径が異なる。具体的には。前記２種類の筆記体は、内径の大きい後端開口部を備えたインキ収容管３３を備えた第１の筆記体３（即ち、内径の大きい連結孔３３を備えた第１の筆記体３）と、内径の小さい後端開口部を備えたインキ収容管４３を備えた第２の筆記体４（即ち、内径の小さい連結孔４４を備えた第２の筆記体４）とからなる。即ち、第１の筆記体３の連結孔３４の内径は、第２の筆記体４の連結孔４４の内径より大きい。
【００２２】
・操作体
前記各々の操作体５は、後端部に形成され且つ軸筒２の窓孔２２から外部に突出する操作部５１と、該操作部５１の径方向反対側に設けられる前側突出部５２と、該操作部５１の径方向反対側の前側突出部５２の後方に設けられる後側突出部５３と、前端部に形成され且つインキ収容管３３，４３の後端の連結孔３４，４４に着脱自在に嵌合される嵌合部５５４，５５と、該嵌合部の後方に形成される鍔部５８とを備える。前記嵌合部５４，５５は、インキ収容管３３，４３の後端開口部に嵌合された際、インキ収容管３３，４３の後端開口部を完全には塞がず、インキ収容管３３，４３の内部と外部とを通気可能にする。また、筆記体（互いに前後に連結された複数の筆記体）を軸筒２内に収容した状態において、前記鍔部５８の前面に弾発体６の後端が係止される。
【００２３】
前記操作体５の嵌合部が、第１の嵌合部５４と、該第１の嵌合部５４の前方に連設され且つ第１の嵌合部５４より外径が小さい第２の嵌合部５５とからなる。前記第１の嵌合部５４が、第１の筆記体３の連結孔３４に嵌合可能であり、前記第２の嵌合部５５が、第２の筆記体４の連結孔４４に嵌合可能である。即ち、前記操作体５に、連結孔３４，４４の内径が異なる２種類の筆記体（第１の筆記体３、第２の筆記体４）が連結可能である。
【００２４】
また、前記第１の嵌合部５４の後方に第１の段部５６を設け、前記第１の嵌合部５４と前記第２の嵌合部５５との間に第２の段部５７を設ける。前記第１の筆記体３を第１の嵌合部５４に嵌合した際、第１の筆記体３の後端が第１の段部５６に当接され、前記第２の筆記体４を第２の嵌合部５５に嵌合した際、第２の筆記体４の後端が第２の段部５７に当接される。
【００２５】
第１の嵌合部５４及び第２の嵌合部５５は、軸方向に伸びる複数（具体的には４本）のリブからなる。それにより、筆記体３，４と操作体５とを連結する際の押圧力を低減させることができる。また、第１の嵌合部５４及び第２の嵌合部５５は、軸方向に伸びる複数のリブからなることにより。インキ収容管３３，４３内部にインキ及び追従体を収容する場合、インキ収容管３３，４３の内部と外部との通気を確実にできる。
【００２６】
筆記体のペン先３１，４１が軸筒２内に没入状態のとき、その筆記体３，４に取り付けられた操作体５の後端部は、軸筒２後端部に形成された当接壁部２３に当接される。一方、筆記体３，４のペン先３１，４１が突出状態のとき、その筆記体３，４に取り付けられた操作体５の後端部は、軸筒２の内壁に形成された係止壁部に係止される。
【００２７】
ペン先没入状態にある筆記体の後端に連結された操作体５の前側突出部５２は、その操作体５の操作部５１を前方にスライド操作した際、先にペン先突出状態にある他の筆記体の後端に連結された操作体５の後側突出部５３と当接され、他の筆記体のペン先突出状態が解除される。
【００２８】
・ペン先の出没
本実施の形態におけるペン先４１の出没作動について説明する。
一つの操作体５の操作部５１を弾発体６の後方付勢に抗して窓孔２２に沿って前方にスライド操作すると、そのスライド操作された操作体５の前側突出部５２が、先に突出状態にある他の筆記体の操作体５の後側突出部５３を径方向外方に持ち上げる。それにより、軸筒２内壁の係止壁部と操作体５の係止状態が解除され、他の筆記体が弾発体６の後方付勢により後方に移動され、他の筆記体前端のペン先３１，４１が軸筒２内に没入され、他の筆記体の操作体５の後端が軸筒２後端部の当接壁部２３に当接される。前記他の筆記体のペン先３１，４１の没入と同時に、前記前方にスライド操作した操作体５に連結された筆記体前端のペン先３１，４１が、軸筒２の前端孔２１より外部に突出されるとともに、前方にスライド操作された操作体５の後端が軸筒２内壁の係止壁部に係止され、そのペン先突出状態が維持される。
【００２９】
本実施の形態の多芯筆記具１は、前記筆記体３，４の後端部に後方に開口する連結孔３４，４４を設け、前記操作体５の前端部に、前記連結孔３４，４４に嵌合可能な嵌合部を設け、前記操作体５の嵌合部が、第１の嵌合部５４と、該第１の嵌合部５４の前方に連設され且つ第１の嵌合部５４より外径が小さい第２の嵌合部５５とからなり、前記操作体５に、連結孔３４，４４の内径が異なる２種類の筆記体を連結可能としたことにより、一つの操作体５が、連結孔３４，４４の内径の異なる２種類の筆記体３，４と連結可能となり、内径の異なる筆記体３，４を用いても、部品としての操作体５を共通化でき、製造コストの上昇を抑えることが可能となる。
【００３０】
本実施の形態の多芯筆記具１は、前記第１の嵌合部５４の後方に第１の段部５６を設け、前記第１の嵌合部５４と前記第２の嵌合部５５との間に第２の段部５７を設け、連結孔３４，４４の内径が異なる２種類の筆記体を連結した際、第１の段部５６または第２の段部５７に、前記連結した筆記体３，４の後端を当接可能としたことにより、連結孔３４，４４の内径が異なる２種類の筆記体３，４の何れの筆記体を操作体５に連結しても、筆記時、筆記体３，４が操作体５に対して後退することがなく、安定した筆記が可能となる。
【符号の説明】
【００３１】
１  多芯筆記具
２  軸筒
２ａ  前軸
２ｂ  後軸
２１  前端孔
２２  窓孔
２３  当接壁部
３  第１の筆記体
３１  ペン先（ボールペンチップ）
３２  ペン先保持筒
３３  インキ収容管
３４  連結孔
４  第２の筆記体
４１  ペン先（ボールペンチップ）
４２  ペン先保持筒
４３  インキ収容管
４４  連結孔
５  操作体
５１  操作部
５２  前側突出部
５３  後側突出部
５４  第１の嵌合部（リブ）
５５  第２の嵌合部（リブ）
５６  第１の段部
５７  第２の段部
５８  鍔部
６  弾発体
７  弾発体支持部
７１  内孔
【図１】
2013095015.tif 000003
【図２】
2013095015.tif 000004
【図３】
2013095015.tif 000005
【図４】
2013095015.tif 000006
【図５】
2013095015.tif 000007
【図６】
2013095015.tif 000008
【図７】
2013095015.tif 000009
【図８】
2013095015.tif 000010